(57)【要約】【課題】搬送ベルトの浮きを抑制すること。【解決手段】プリンター１００は、媒体Ｐを支持し、回転することで媒体Ｐを搬送方向に搬送する搬送ベルト２３と、搬送ベルト２３に支持される媒体Ｐに液体を吐出するヘッド４２と、搬送ベルト２３を支持する媒体支持部７０と、搬送ベルト２３を媒体支持部７０に向けて吸引する吸引部８０と、を備え、搬送方向と交差する方向を幅方向とした時、搬送ベルト２３における幅方向の一方側の端部を含む領域である第１端部領域２３ｃと、幅方向の他方側の端部を含む領域である第２端部領域２３ｄとには、搬送ベルト２３を厚さ方向に貫く貫通孔が形成されておらず、吸引部８０は、搬送ベルト２３の第１端部領域２３ｃ及び第２端部領域２３ｄを媒体支持部７０に向けて吸引する位置に配置される。【選択図】図３
2020082436.tif 000002
【特許請求の範囲】
【請求項１】
媒体を支持し、回転することで前記媒体を搬送方向に搬送する搬送ベルトと、
前記搬送ベルトに支持される前記媒体に液体を吐出する吐出部と、
前記搬送ベルトを支持する支持部と、
前記搬送ベルトを前記支持部に向けて吸引する吸引部と、を備え、
前記搬送方向と交差する方向を幅方向とした時、
前記搬送ベルトにおける前記幅方向の一方側の端部を含む領域である第１端部領域と
、前記幅方向の他方側の端部を含む領域である第２端部領域とには、前記搬送ベルトを厚
さ方向に貫く貫通孔が形成されておらず、
前記吸引部は、前記搬送ベルトの前記第１端部領域及び前記第２端部領域を前記支持
部に向けて吸引する位置に配置されることを特徴とするインクジェットプリンター。
【請求項２】
請求項１に記載のインクジェットプリンターであって、
前記吸引部は、前記搬送ベルトにおける前記第１端部領域と前記第２端部領域との間に
位置する中央領域を、前記支持部に向けて吸引しない位置に配置されることを特徴とする
インクジェットプリンター。
【請求項３】
請求項１または請求項２に記載のインクジェットプリンターであって、
前記吐出部から液体を吐出させて前記媒体に画像を形成する画像形成動作と、前記搬送
ベルトを回転させて前記媒体を搬送する搬送動作と、前記吸引部によって前記搬送ベルト
を前記支持部に向けて吸引する吸引動作と、を実行させる制御を行う制御部を備え、
前記制御部は、前記画像形成動作の実行中及び前記搬送動作の実行中に前記吸引動作を
実行させることを特徴とするインクジェットプリンター。
【請求項４】
請求項１または請求項２に記載のインクジェットプリンターであって、
前記吐出部から液体を吐出させて前記媒体に画像を形成する画像形成動作と、前記搬送
ベルトを回転させて前記媒体を搬送する搬送動作と、前記吸引部によって前記搬送ベルト
を前記支持部に向けて吸引する吸引動作と、を実行させる制御を行う制御部を備え、
前記制御部は、前記画像形成動作の実行中に前記吸引動作を実行させ、前記搬送動作の
実行中に前記吸引動作を実行させないことを特徴とするインクジェットプリンター。
【請求項５】
請求項１から請求項４のいずれか一項に記載のインクジェットプリンターであって、
前記吸引部は、前記搬送ベルトの前記第１端部領域を吸引する第１吸引部と、前記搬送
ベルトの前記第２端部領域を吸引する第２吸引部とを含み、
前記第１吸引部と前記第２吸引部とは、前記搬送ベルトに作用させる吸引力を個別に変
更可能に構成されることを特徴とするインクジェットプリンター。
【請求項６】
請求項１から請求項５のいずれか一項に記載のインクジェットプリンターであって、
前記支持部は、第１の支持部と、前記第１の支持部に対して前記搬送方向において間隔
を空けて設けられた第２の支持部と、を有し、
前記吸引部は、前記第１の支持部と前記第２の支持部との間に設けられることを特徴と
するインクジェットプリンター。
【請求項７】
請求項１から請求項６のいずれか一項に記載のインクジェットプリンターであって、
前記支持部には、前記搬送ベルトを支持する面に吸引孔が設けられ、
前記吸引部は、前記搬送ベルトにおける前記支持部に支持されない部分を前記支持部に
向けて吸引し、
前記支持部は、前記吸引孔から前記搬送ベルトを吸引することを特徴とするインクジェ
ットプリンター。
【請求項８】
請求項１から請求項６のいずれか一項に記載のインクジェットプリンターであって、
前記支持部には、前記搬送ベルトを支持する面を貫通する吸引孔が設けられ、
前記吸引部は、前記支持部と一体で構成され、前記吸引孔から前記搬送ベルトを吸引す
ることを特徴とするインクジェットプリンター。
【発明の詳細な説明】
【技術分野】
【０００１】
本発明は、インクジェットプリンターに関する。
【背景技術】
【０００２】
従来から、液体を吐出する吐出部と紙や布帛などの媒体とを相対移動させることで、媒
体に画像や文字などを形成するインクジェットプリンターが知られていた。例えば、特許
文献１には、搬送ベルトに保持搬送される被記録媒体にインクを吐出して画像を形成する
インクジェットプリンターとしての画像形成装置が開示されている。
【先行技術文献】
【特許文献】
【０００３】
【特許文献１】特開２００４−１３６５３３号公報
【発明の概要】
【発明が解決しようとする課題】
【０００４】
特許文献１に記載の、媒体を搬送ベルトで支持して搬送する構成のインクジェットプリ
ンターにおいては、搬送ベルトの幅方向における両端部が浮き上がる場合がある。搬送ベ
ルトの両端部が浮き上がると、媒体と吐出部との距離が不均一となり、媒体に形成される
画像の画質が低下する虞がある。
【課題を解決するための手段】
【０００５】
本願のインクジェットプリンターは、媒体を支持し、回転することで前記媒体を搬送方
向に搬送する搬送ベルトと、前記搬送ベルトに支持される前記媒体に液体を吐出する吐出
部と、前記搬送ベルトを支持する支持部と、前記搬送ベルトを前記支持部に向けて吸引す
る吸引部と、を備え、前記搬送方向と交差する方向を幅方向とした時、前記搬送ベルトに
おける前記幅方向の一方側の端部を含む領域である第１端部領域と、前記幅方向の他方側
の端部を含む領域である第２端部領域とには、前記搬送ベルトを厚さ方向に貫く貫通孔が
形成されておらず、前記吸引部は、前記搬送ベルトの前記第１端部領域及び前記第２端部
領域を前記支持部に向けて吸引する位置に配置されることを特徴とする。
【０００６】
上記のインクジェットプリンターにおいて、前記吸引部は、前記搬送ベルトにおける前
記第１端部領域と前記第２端部領域との間に位置する中央領域を、前記支持部に向けて吸
引しない位置に配置されることが好ましい。
【０００７】
上記のインクジェットプリンターには、前記吐出部から液体を吐出させて前記媒体に画
像を形成する画像形成動作と、前記搬送ベルトを回転させて前記媒体を搬送する搬送動作
と、前記吸引部によって前記搬送ベルトを前記支持部に向けて吸引する吸引動作と、を実
行させる制御を行う制御部を備え、前記制御部は、前記画像形成動作の実行中及び前記搬
送動作の実行中に前記吸引動作を実行させることが好ましい。
【０００８】
上記のインクジェットプリンターは、前記吐出部から液体を吐出させて前記媒体に画像
を形成する画像形成動作と、前記搬送ベルトを回転させて前記媒体を搬送する搬送動作と
、前記吸引部によって前記搬送ベルトを前記支持部に向けて吸引する吸引動作と、を実行
させる制御を行う制御部を備え、前記制御部は、前記画像形成動作の実行中に前記吸引動
作を実行させ、前記搬送動作の実行中に前記吸引動作を実行させないことが好ましい。
【０００９】
上記のインクジェットプリンターにおいて、前記吸引部は、前記搬送ベルトの前記第１
端部領域を吸引する第１吸引部と、前記搬送ベルトの前記第２端部領域を吸引する第２吸
引部とを含み、前記第１吸引部と前記第２吸引部とは、前記搬送ベルトに作用させる吸引
力を個別に変更可能に構成されることが好ましい。
【００１０】
上記のインクジェットプリンターにおいては、前記支持部は、第１の支持部と、前記第
１の支持部に対して前記搬送方向において間隔を空けて設けられた第２の支持部と、を有
し、前記吸引部は、前記第１の支持部と前記第２の支持部との間に設けられることが好ま
しい。
【００１１】
上記のインクジェットプリンターにおいて、前記支持部には、前記搬送ベルトを支持す
る面に吸引孔が設けられ、前記吸引部は、前記搬送ベルトにおける前記支持部に支持され
ない部分を前記支持部に向けて吸引し、前記支持部は、前記吸引孔から前記搬送ベルトを
吸引することが好ましい。
【００１２】
上記のインクジェットプリンターにおいて、前記支持部には、前記搬送ベルトを支持す
る面を貫通する吸引孔が設けられ、前記吸引部は、前記支持部と一体で構成され、前記吸
引孔から前記搬送ベルトを吸引することが好ましい。
【図面の簡単な説明】
【００１３】
【図１】実施形態１に係るインクジェットプリンターの全体構成を示す斜視図。
【図２】インクジェットプリンターをＸ軸に沿って−側から見た側断面図。
【図３】媒体支持部の周辺を拡大して示す斜視図。
【図４】吸着テーブルの裏面を拡大して示す斜視図。
【図５】インクジェットプリンターの概略構成を示すブロック図。
【図６】搬送ベルトの断面形状を示す模式断面図。
【図７】搬送ベルトの断面形状を示す模式断面図。
【図８】搬送ベルトの断面形状を示す模式断面図。
【図９】搬送ベルトの断面形状及び吸引部の位置関係を示す模式断面図。
【図１０】実施形態２に係る媒体支持部の周辺を拡大して示す斜視図。
【図１１】実施形態３に係る媒体支持部の周辺を拡大して示す斜視図。
【図１２】実施形態４に係る搬送ベルトの断面形状を示す模式断面図。
【図１３】ベルト規制部により規制された搬送ベルトの断面形状を示す模式断面図。
【発明を実施するための形態】
【００１４】
以下、実施形態について、図面を参照して説明する。なお、以下の各図においては、各
層や各部材を認識可能な程度の大きさにするため、各層や各部材の尺度を実際とは異なら
せている。
また、図１から図４及び図６から図１３では、説明の便宜上、互いに直交する三軸とし
て、Ｘ軸、Ｙ軸及びＺ軸を図示しており、軸方向を図示した矢印の先端側を「＋側」、基
端側を「−側」としている。
【００１５】
（実施形態１）
＜インクジェットプリンターの概略構成＞
図１は、実施形態１に係るインクジェットプリンターの全体構成を示す斜視図である。
図２は、インクジェットプリンターをＸ軸に沿って−側から見た側断面図である。まず、
本実施形態に係るインクジェットプリンターの概略構成について、図１及び図２を参照し
て説明する。なお、本実施形態では、シリアルヘッド方式のインクジェットプリンターを
例に上げて説明する。以下の説明では、インクジェットプリンターをプリンター１００と
記す。プリンター１００は、媒体Ｐに対して吐出部としてのヘッド４２を移動させながら
液体を吐出することで、媒体Ｐに印刷を行う構成である。
【００１６】
図１に示すように、プリンター１００は、搬送部２０、印刷部４０、押圧部６０、支持
部としての媒体支持部７０などを備えている。プリンター１００の各部は、搬送部２０を
構成するフレーム１０に取り付けられている。なお、本実施形態では、重力に沿う上下方
向の軸をＺ軸とし、後述する媒体Ｐが搬送される搬送方向に沿う軸をＹ軸とし、媒体Ｐの
幅方向に沿う軸をＸ軸とする。また、媒体Ｐの搬送方向に沿う位置関係を「上流」、「下
流」ともいう。
【００１７】
まず、搬送部２０の構成について説明する。
搬送部２０は、フレーム１０、搬送ベルト２３、第１ローラー２４、第２ローラー２５
、第３ローラー２６を備えている。搬送部２０は、媒体Ｐを搬送方向（Ｙ軸の−側から＋
側に向かう方向）に搬送するものである。媒体Ｐとしては、例えば、天然繊維、綿、絹、
麻、モヘヤ、ウール、カシミア、再生繊維、合成繊維、ナイロン、ポリウレタン、ポリエ
ステルや、これらの混紡からなる織布または不織布等を用いることができる。織布や不織
布には、発色性や定着性の向上のための前処理剤が塗布されていても良い。
【００１８】
フレーム１０は、複数の枠状部材で組み合わされたＹ軸を長手方向とする直方体をなし
ている。第１ローラー２４は、フレーム１０における搬送方向の上流に配置されている。
第１ローラー２４の両端は支持台２４ａに回転可能に支持され、支持台２４ａは、フレー
ム１０の上面に取り付けられている。また、第２ローラー２５は、フレーム１０における
搬送方向の下流に配置されている。第２ローラー２５は支持台２５ａに回転可能に支持さ
れ、支持台２５ａは、フレーム１０の上面に取り付けられている。
【００１９】
搬送ベルト２３は、第１ローラー２４と第２ローラー２５とに架け渡され、媒体Ｐを支
持して回転することで媒体Ｐを搬送方向に搬送する。詳しくは、搬送ベルト２３は、帯状
のベルトの両端部が接続されて無端状に形成され、第１ローラー２４及び第２ローラー２
５の２つのローラー間に掛けられている。搬送ベルト２３は、所定の張力が作用した状態
で保持されている。搬送ベルト２３は、搬送方向と交差する幅方向において、第１端部領
域２３ｃ、第２端部領域２３ｄ及び中央領域２３ｅの３つの領域に区分される。第１端部
領域２３ｃは、搬送ベルト２３の幅方向の一方側（Ｘ軸の−側）の端部を含む領域である
。第２端部領域２３ｄは、搬送ベルト２３の幅方向の他方側（Ｘ軸の＋側）の端部を含む
領域である。中央領域２３ｅは、第１端部領域２３ｃと第２端部領域２３ｄとの間に位置
する領域である。
【００２０】
搬送ベルト２３の表面２３ａには、媒体Ｐを粘着させる粘着層が設けられている。搬送
ベルト２３は、後述する押圧部６０で粘着層に貼り付けられた媒体Ｐを支持している。こ
れにより、伸縮性のある布帛などを媒体Ｐとして扱うことができる。例えば、粘着層が設
けられていない搬送ベルトを用いる場合、搬送ベルトに媒体を密着させるために、搬送ベ
ルトを厚さ方向に貫く貫通孔が設けられる場合がある。この方式では、貫通孔から媒体を
吸引することで、媒体を搬送ベルトに密着させる。しかし、本実施形態のプリンター１０
０は、粘着層により媒体Ｐを搬送ベルト２３に密着させる方式のため、第１端部領域２３
ｃ及び第２端部領域２３ｄを含む搬送ベルト２３には、搬送ベルト２３を厚さ方向（Ｚ軸
方向）に貫く貫通孔が形成されていない。搬送ベルト２３に貫通孔を設けない構成とする
ことで、搬送ベルト２３が媒体Ｐを支持する面（すなわち表面２３ａ）に凹凸ができるこ
とを抑制することができる。
【００２１】
第１ローラー２４及び第２ローラー２５は、搬送ベルト２３の内側に設けられ、搬送ベ
ルト２３の裏面２３ｂを支持する。本実施形態の搬送部２０は、第１ローラー２４と第２
ローラー２５との間に、搬送ベルト２３を支持する第３ローラー２６を備えている。第３
ローラー２６は、搬送ベルト２３の張力の調整などを目的として、搬送ベルト２３を補助
的に支持する部材である。なお、搬送部２０は、第３ローラー２６など、搬送ベルト２３
を補助的に支持する部材を備えない構成であってもよい。
【００２２】
第２ローラー２５は、搬送ベルト２３を回転させることで、媒体Ｐを搬送方向に搬送す
る。第２ローラー２５は、第２ローラー２５を回転駆動させる図示しない回転駆動部を有
している。第２ローラー２５は、搬送方向において印刷部４０よりも下流に設けられ、第
１ローラー２４は、搬送方向において印刷部４０よりも上流に設けられている。第２ロー
ラー２５が回転駆動されると、第２ローラー２５の回転に伴って搬送ベルト２３が回転し
、搬送ベルト２３の回転により第１ローラー２４が従動回転する。搬送ベルト２３の回転
により、搬送ベルト２３に支持される媒体Ｐが搬送方向に搬送され、後述する印刷部４０
と対向する位置で媒体Ｐに画像などが形成される。なお、搬送ベルト２３は、媒体Ｐを粘
着する粘着層を備えるものと説明したが、これに限定するものではない。例えば、搬送ベ
ルトは、静電気で媒体をベルトに吸着させる静電吸着式のベルトであってもよい。
【００２３】
搬送部２０は、搬送ベルト２３よりも搬送方向の上流に、媒体Ｐを供給する媒体供給部
を連結可能な構成であってもよい。例えば、媒体供給部は、ロール状に巻かれた帯状の媒
体Ｐを回転可能に支持し、ロール状の媒体Ｐを回転させることにより媒体Ｐを繰り出し、
搬送ベルト２３に供給する。
また、搬送部２０は、搬送ベルト２３よりも搬送方向の下流に、媒体Ｐを巻き取る媒体
巻取部を連結可能な構成であってもよい。例えば、媒体巻取部は、媒体Ｐを回転可能に支
持する巻取軸を備え、巻取軸を回転させることにより、帯状の媒体Ｐをロール状に巻き取
る。
【００２４】
次に、プリンター１００に備えられている押圧部６０、印刷部４０、キャリッジ移動部
４５、支持部としての媒体支持部７０、吸引部８０の各部について説明する。
【００２５】
押圧部６０は、第１ローラー２４と印刷部４０との間に設けられ、媒体Ｐを搬送ベルト
２３に向けて押圧する。押圧部６０は、円筒状又は円柱状に形成されており、円周方向に
回転可能に設けられ、媒体Ｐの搬送方向に沿って回転する。押圧部６０は、第１ローラー
２４と印刷部４０との間において、搬送方向に沿って往復移動可能に支持されている。押
圧部６０は、媒体Ｐを鉛直方向の上方（Ｚ軸の＋側）から下方（Ｚ軸の−側）に押圧しな
がら、押圧部駆動部６２によって搬送方向（Ｙ軸の−側から＋側に向かう方向）及び搬送
方向と逆向きの方向（Ｙ軸の＋側から−側に向かう方向）に移動する。
【００２６】
押圧部支持部６３は、搬送ベルト２３の内側、かつ、第１ローラー２４と第２ローラー
２５との間に設けられている。押圧部支持部６３は、板状をなし、搬送ベルト２３を介し
て押圧部６０を支持可能に構成されている。押圧部支持部６３が形成される範囲は、押圧
部６０の移動範囲に対応している。具体的には、押圧部支持部６３が形成される範囲のＸ
方向における長さは、押圧部６０のＸ方向における長さと対応している。また、押圧部支
持部６３が形成される範囲のＹ方向における長さは、押圧部６０のＹ方向への移動範囲と
対応している。押圧部支持部６３は４つの支持台６３ａに支持され、支持台６３ａがフレ
ーム１０の上面に取り付けられている。搬送ベルト２３上に供給された媒体Ｐは、押圧部
６０と押圧部支持部６３との間で搬送ベルト２３に押し当てられる。これにより、搬送ベ
ルト２３の表面２３ａに設けられている粘着層に媒体Ｐを確実に粘着させることができ、
搬送ベルト２３上での媒体Ｐの浮きの発生を防止することができる。
【００２７】
図３は、媒体支持部７０の周辺を拡大して示す斜視図である。図３では、説明の便宜上
、搬送ベルト２３の表示は省略する。
【００２８】
媒体支持部７０は、搬送ベルト２３の内側、かつ、第１ローラー２４と第２ローラー２
５との間に設けられている。本実施形態では、媒体支持部７０は、搬送方向と交差する方
向である媒体Ｐの幅方向を長手方向とする梁部材が、搬送方向に沿って複数設けられる構
成である。梁部材は、搬送方向の上流から順に、第１の媒体支持部、第２の媒体支持部、
及び第３の媒体支持部に相当する。したがって、媒体支持部７０は、第１の媒体支持部と
、第１の媒体支持部に対して搬送方向において間隔を空けて設けられた第２の媒体支持部
と、第２の媒体支持部に対して搬送方向において間隔を空けて設けられた第３の媒体支持
部と、を有する構成である。つまり、媒体支持部７０は、３本の梁部材で搬送ベルト２３
を支持する。プリンター１００は、Ｘ軸に沿って移動するヘッド４２を備えている。Ｚ軸
に沿って見た平面視にて、搬送ベルト２３のうち、ヘッド４２の移動によりヘッド４２と
重なる得る範囲は、図１に示されている印刷領域ＰＡである。媒体支持部７０のＸ方向に
おける長さは、搬送ベルト２３の幅方向における長さよりも長い。また、媒体支持部７０
を構成する３本の梁部材は、搬送方向に沿って互いに等間隔となるよう、印刷領域ＰＡに
配置されている。各媒体支持部７０の両端は、それぞれ支持台７０ａに支持され、支持台
７０ａがフレーム１０上に取り付けられている。
【００２９】
また、プリンター１００は、搬送ベルト２３を媒体支持部７０に向けて吸引する吸引部
８０を備えている。吸引部８０は、搬送ベルト２３の第１端部領域２３ｃを媒体支持部７
０に向けて吸引する位置に設けられた第１吸引部８１ａと、搬送ベルト２３の第２端部領
域２３ｄを媒体支持部７０に向けて吸引する位置に設けられた第２吸引部８１ｂとを有し
ている。換言すると、吸引部８０は、搬送ベルト２３の中央領域２３ｅを媒体支持部７０
に向けて吸引しない位置に設けられている。
【００３０】
第１吸引部８１ａは、印刷領域ＰＡにおいて、搬送ベルト２３の第１端部領域２３ｃの
裏面２３ｂと対向して位置する。本実施形態では、第１吸引部８１ａは、媒体支持部７０
を構成する３本の梁部材の間に設けられた２枚の吸着テーブル８５で構成されている。よ
り具体的には、第１吸引部８１ａは、第１の媒体支持部と第２の媒体支持部との間に設け
られた吸着テーブル８５と、第２の媒体支持部と第３の媒体支持部との間に設けられた吸
着テーブル８５と、の２枚の吸着テーブル８５で構成されている。これにより、吸着テー
ブル８５が搬送ベルト２３の近くに配置されるので、第１吸引部８１ａによって、搬送ベ
ルト２３の第１端部領域２３ｃがＺ軸の＋側から−側に向けて効率よく吸引される。
第２吸引部８１ｂは、印刷領域ＰＡにおいて、搬送ベルト２３の第２端部領域２３ｄの
裏面２３ｂと対向して位置する。本実施形態では、第２吸引部８１ｂは、媒体支持部７０
を構成する３本の梁部材の間に設けられた２枚の吸着テーブル８５で構成されている。よ
り具体的には、第２吸引部８１ｂは、第１の媒体支持部と第２の媒体支持部との間に設け
られた吸着テーブル８５と、第２の媒体支持部と第３の媒体支持部との間に設けられた吸
着テーブル８５と、の２枚の吸着テーブル８５で構成されている。これにより、吸着テー
ブル８５が搬送ベルト２３の近くに配置されるので、第２吸引部８１ｂによって、搬送ベ
ルト２３の第２端部領域２３ｄがＺ軸の＋側から−側に向けて効率よく吸引される。
【００３１】
吸着テーブル８５は、板状をなしている。吸着テーブル８５の搬送ベルト２３の裏面２
３ｂと対向する面には、搬送ベルト２３を吸着させるための吸着溝８５ａが形成される。
吸着テーブル８５の搬送ベルト２３と接する面には、耐摩耗性と摺動性とに優れるステン
レス鋼を採用することが好ましい。吸着テーブル８５の中央部には、吸着テーブル８５を
厚み方向（Ｚ軸方向）に貫く貫通孔８５ｂが設けられ、貫通孔８５ｂは吸着溝８５ａと連
通している。
【００３２】
なお、媒体支持部７０を構成する梁部材の数、及び梁部材の間に設けられる吸着テーブ
ル８５の数は、一例である。媒体支持部７０を構成する梁部材は、２本又は４本以上であ
ってもよい。第１吸引部８１ａ又は第２吸引部８１ｂを構成する吸着テーブル８５は、１
枚又は３枚以上であってもよい。例えば、媒体支持部７０が、第１の媒体支持部、第２の
媒体支持部、という２本の梁部材によって構成され、吸引部８０が、第１の媒体支持部と
第２の媒体支持部との間に設けられる構成であってもよい。また、全ての梁部材同士の間
に吸引部８０が設けられなくてもよい。例えば、媒体支持部７０が、第１の媒体支持部、
第２の媒体支持部、第３の媒体支持部、という３本の梁部材によって構成され、第１の媒
体支持部と第２の媒体支持部との間に吸引部８０が設けられ、第２の媒体支持部と第３の
媒体支持部との間には吸引部８０が設けられない構成であってもよい。
また、本実施形態では、吸着テーブル８５は搬送ベルト２３を吸着する吸着溝８５ａを
備える構成を示したが、吸着テーブルは搬送ベルト２３を吸着するための複数の吸引孔を
備える構成であってもよい。
【００３３】
図４は、吸着テーブル８５の裏面を拡大して示す斜視図である。図４では、説明の便宜
上、支持台７０ａを透視して表示する。
吸着テーブル８５は、媒体支持部７０に沿う２辺が支持部材８３に支持されている。支
持部材８３は、Ｘ軸方向を長手方向とする棒状の直方体である。１枚の吸着テーブル８５
を支持する２本の支持部材８３の各々は、媒体支持部７０のうちの互いに対向する２本の
梁部材に沿って配置される。吸着テーブル８５には、支持部材８３と接続するためのネジ
穴が４つ設けられ、吸着テーブル８５と支持部材８３とは、調整ボルト８８によって接続
される。調整ボルト８８は、吸着テーブル８５と支持部材８３との接続を維持しつつ、吸
着テーブル８５の高さを調整することが可能なボルトである。吸着テーブル８５は、４箇
所の調整ボルト８８によってその高さ、すなわち吸着テーブル８５と搬送ベルト２３との
距離を変更することができる。
【００３４】
また、第１吸引部８１ａと第２吸引部８１ｂは、搬送ベルト２３の第１端部領域２３ｃ
及び第２端部領域２３ｄに作用させる吸引力を個別に変更可能に構成されている。詳しく
は、第１吸引部８１ａは第１吸引部駆動部８２ａを有し、第２吸引部８１ｂは第２吸引部
駆動部８２ｂを有している。第１吸引部駆動部８２ａ及び第２吸引部駆動部８２ｂは、フ
レーム１０に取り付けられる。第１吸引部８１ａを構成する吸着テーブル８５の貫通孔８
５ｂは、吸引チューブ８７によって第１吸引部駆動部８２ａと連通している。第２吸引部
８１ｂを構成する吸着テーブル８５の貫通孔８５ｂは、吸引チューブ８７によって第２吸
引部駆動部８２ｂとで連通している。
【００３５】
第１吸引部駆動部８２ａ及び第２吸引部駆動部８２ｂとしては、例えば、流体をノズル
から高速で噴射することにより圧力を低下させるエジェクターや、真空ポンプ、真空ブロ
ワーなどを採用することができる。第１吸引部駆動部８２ａが駆動されることにより、印
刷領域ＰＡにおいて、搬送ベルト２３の第１端部領域２３ｃが、第１吸引部８１ａを構成
する吸着テーブル８５に吸着される。第２吸引部駆動部８２ｂが駆動されることにより、
印刷領域ＰＡにおいて、搬送ベルト２３の第２端部領域２３ｄが、第２吸引部８１ｂを構
成する吸着テーブル８５に吸着される。第１吸引部駆動部８２ａの駆動力と第２吸引部駆
動部８２ｂの駆動力とを個別に制御することにより、第１吸引部８１ａの吸引力と第２吸
引部８１ｂの吸引力とを個別に変更することができる。
【００３６】
印刷部４０は、搬送部２０に対して上方（Ｚ軸の＋側）に配置されている。印刷部４０
は、ヘッド４２、ヘッド４２が搭載されるキャリッジ４３などを有している。ヘッド４２
が、搬送ベルト２３に支持された媒体Ｐに液体を吐出することにより画像などが媒体Ｐに
印刷される。キャリッジ４３には、複数のヘッド４２が交換可能に搭載されている。キャ
リッジ４３に搭載されたヘッド４２は、キャリッジ移動部４５によって、媒体Ｐの搬送方
向（Ｙ軸方向）と交差する媒体Ｐの幅方向（Ｘ軸方向）に移動する。各ヘッド４２には、
液体として、例えば、シアン（Ｃ）、マゼンタ（Ｍ）、イエロー（Ｙ）、ブラック（Ｋ）
などの色のインクが供給される。ヘッド４２は、各色に対応した図示しないノズルから媒
体Ｐに向けて液体を吐出するように構成される。
【００３７】
キャリッジ移動部４５は、フレーム１０からＺ軸の＋側に伸びる支持フレーム１５に取
り付けられ、搬送ベルト２３の上方（Ｚ軸の＋側）に位置している。キャリッジ移動部４
５は、Ｘ軸に沿って延在するガイドレール４６を有している。ヘッド４２は、キャリッジ
４３と共にＸ軸に沿って往復移動可能な状態で、ガイドレール４６に支持されている。
【００３８】
キャリッジ移動部４５は、キャリッジ４３をガイドレール４６に沿って移動させるため
の図示しない移動機構及び動力源を備えている。移動機構としては、例えば、ボールネジ
とボールナットとを組み合わせた機構や、リニアガイド機構などを採用することができる
。動力源としては、例えば、ステッピングモーター、サーボモーター、リニアモーターな
どの種々のモーターを採用することができる。モーターが駆動されると、ヘッド４２は、
移動機構によってキャリッジ４３と共にＸ軸に沿って移動する。
【００３９】
なお、本実施形態のプリンター１００は、往復移動するキャリッジ４３に搭載され、媒
体Ｐの幅方向（Ｘ軸）に移動するヘッド４２から液体を吐出するシリアルヘッド方式を例
示したが、ヘッドが媒体Ｐの幅方向に延在し、固定された状態で液体を吐出するラインヘ
ッド方式であってもよい。
【００４０】
次に、プリンター１００の電気的構成について図５を参照して説明する。図５は、イン
クジェットプリンターの概略構成を示すブロック図である。
【００４１】
プリンター１００は、プリンター１００に備えられている各部の制御を行う制御部１を
有している。制御部１は、インターフェイス部（Ｉ／Ｆ）２、ＣＰＵ（Central Processi
ng Unit）３、制御回路４、記憶部５などを含んで構成される。ＣＰＵ３は、バスにより
各部と接続されている。
【００４２】
インターフェイス部２は、入力信号や画像を取り扱う入力装置６と制御部１との間でデ
ータの送受信を行うためのものであり、入力装置６で生成された印刷データなどを受信す
る。入力装置６は、コンピューターなどで構成される。本実施形態では、入力装置６がプ
リンター１００と一体で構成されたブロック図を示したが、入力装置６はプリンター１０
０と別体で構成されていてもよい。
ＣＰＵ３は、各種の入力信号処理や、記憶部５に格納されているプログラムおよび入力
装置６から受信した印刷データに従ってプリンター１００全体の制御を行うための演算処
理装置である。
記憶部５は、ＣＰＵ３のプログラムを格納する領域や作業領域などを確保するための記
憶媒体であり、ＲＡＭ（Random Access Memory）、ＥＥＰＲＯＭ（Electrically Erasabl
e Programmable Read Only Memory）などの記憶素子を有している。
制御回路４は、印刷データおよびＣＰＵ３の演算結果に基づいてヘッド４２、キャリッ
ジ移動部４５、搬送部２０、第１吸引部駆動部８２ａ、第２吸引部駆動部８２ｂなどを制
御するための制御信号を生成する回路である。
【００４３】
制御部１は、ヘッド４２を駆動するヘッド制御信号、キャリッジ移動部４５を駆動する
キャリッジ制御信号を生成し、キャリッジ４３によって移動するヘッド４２から液体を吐
出させて媒体Ｐに画像を形成する画像形成動作を実行させる制御を行う。
制御部１は、搬送部２０の回転駆動部を駆動する搬送制御信号を生成し、搬送ベルト２
３を回転させて媒体Ｐを搬送する搬送動作を実行させる制御を行う。
制御部１が搬送動作と画像形成動作とを交互に実行させることにより、画像データに基
づく所望の画像が媒体Ｐに印刷される。
制御部１は、第１吸引部駆動部８２ａ及び第２吸引部駆動部８２ｂを駆動する吸引制御
信号を生成し、吸引部８０によって搬送ベルト２３を媒体支持部７０に向けて吸引する吸
引動作を実行させる制御を行う。
【００４４】
次に、搬送ベルト２３の吸引方法１及び吸引方法２について図６及び図７を参照して説
明する。図６及び図７は、搬送ベルト２３の断面形状を示す模式断面図である。
【００４５】
図６に示す搬送ベルト２３は、吸引部８０による吸引動作の実行前の概略断面形状を示
している。搬送ベルト２３は、切断面である幅方向の両端部が裏面２３ｂ側にカールして
いる。搬送ベルト２３は、第１ローラー２４と第２ローラー２５との間に架けられ、さら
に張力が加えられる。この時、搬送ベルト２３のカールしていた両端部が媒体支持部７０
に支持されることにより、両端部が支点となって第１端部領域２３ｃ及び第２端部領域２
３ｄに含まれる搬送ベルト２３が、それぞれの領域において、上（Ｚ軸の＋側）に凸とな
る円弧状に浮き上がることがある。図６は、この状態の搬送ベルト２３の断面を模式的に
表している。例えば、６４インチ幅の搬送ベルト２３の場合、両端部から略２００ｍｍの
範囲内に媒体支持部７０から０．２ｍｍ程度の浮きが生じることがある。したがって、第
１端部領域２３ｃ及び第２端部領域２３ｄの幅は、２００ｍｍ以上３００ｍｍ以下に設定
される。搬送ベルト２３に浮きが生じると、搬送ベルト２３に密着した媒体Ｐとヘッド４
２との距離が不均一となり、媒体Ｐに形成される画像の品質が低下する虞がある。
【００４６】
＜吸引方法１＞
吸引方法１では、制御部１は、画像形成動作の実行中及び搬送動作の実行中に吸引動作
を実行させる制御を行う。詳しくは、制御部１は、画像形成動作及び搬送動作を実行させ
る際に、第１吸引部駆動部８２ａ及び第２吸引部駆動部８２ｂを駆動する。すなわち、吸
引動作は、画像形成動作と搬送動作を繰り返す間、常に実行される。搬送ベルト２３の第
１端部領域２３ｃ及び第２端部領域２３ｄには、貫通孔が形成されていないので、第１端
部領域２３ｃが第１吸引部８１ａによってＺ軸の＋側から−側に向けて吸引され、第２端
部領域２３ｄが第２吸引部８１ｂによってＺ軸の＋側から−側に向けて吸引される。この
結果、図７に示すように、搬送ベルト２３の浮きが抑制され、搬送ベルト２３が媒体支持
部７０に対して略平行になる。また、吸引部８０は、搬送ベルト２３が浮き上がり難い中
央領域２３ｅに設けられていないので、吸引に要する部材やエネルギーの消費を削減する
ことができる。ただし、搬送ベルト２３の中央領域２３ｅが浮き上がる場合には、中央領
域２３ｅに対応する位置に吸引部８０を設け、搬送ベルト２３の中央領域２３ｅを媒体支
持部７０に向けて吸引する構成としてもよい。例えば、中央領域２３ｅに対応する位置に
も吸着テーブル８５を設ける構成としてもよい。
【００４７】
制御部１は、画像形成動作と搬送動作とを繰り返し、媒体Ｐに画像を形成する。画像形
成動作及び搬送動作は吸引動作と同時に実行され、搬送ベルト２３が媒体支持部７０に対
して略平行に支持される。これにより、媒体Ｐとヘッド４２との距離が略均一となり、媒
体Ｐに形成される画像の画質が向上する。
【００４８】
＜吸引方法２＞
吸引方法２では、制御部１は、画像形成動作の実行中に吸引動作を実行させ、搬送動作
の実行中に吸引動作を実行させない。詳しくは、制御部１は、画像形成動作を実行させる
際に第１吸引部駆動部８２ａ及び第２吸引部駆動部８２ｂを駆動し、搬送動作を実行させ
る際に第１吸引部駆動部８２ａ及び第２吸引部駆動部８２ｂの駆動を停止する。これによ
り、画像形成動作の実行中は、搬送ベルト２３の第１端部領域２３ｃが第１吸引部８１ａ
によってＺ軸の＋側から−側に向けて吸引され、搬送ベルト２３の第２端部領域２３ｄが
第２吸引部８１ｂによってＺ軸の＋側から−側に向けて吸引される。この結果、図７に示
すように、画像形成中は、搬送ベルト２３の浮きが抑制され、搬送ベルト２３が媒体支持
部７０に対して略平行になる。
【００４９】
制御部１は、吸引動作を伴う画像形成動作と吸引動作を伴わない搬送動作とを繰り返し
、媒体Ｐに画像を形成する。画像形成動作中は、吸引動作が実行されて搬送ベルト２３が
媒体支持部７０に対して略平行に支持される。これにより、媒体Ｐとヘッド４２との距離
が略均一となり、媒体Ｐに形成される画像の画質が向上する。搬送動作中は吸引動作が実
行されないことで、媒体支持部７０と搬送ベルト２３との摩擦抵抗が低減される。そのた
め、搬送ベルト２３の搬送負荷が低減する。なお、吸引方法１及び吸引方法２においては
、第１吸引部８１ａ及び第２吸引部８１ｂが同一の吸引駆動部で駆動される構成であって
もよい。
【００５０】
次に、制御部１が実行させる吸引方法３及び吸引方法４について図８、図９を参照して
説明する。図８は、搬送ベルト２３の断面形状を示す模式断面図である。図９は、搬送ベ
ルト２３の断面形状及び吸引部８０の位置関係を示す模式断面図である。
【００５１】
図８に示す搬送ベルト２３は、吸引部８０による吸引動作の実行前の概略断面形状を示
している。搬送ベルト２３は、第１端部領域２３ｃにおける浮き上がり量と第２端部領域
２３ｄにおける浮き上がり量とが異なることがある。図８は、第２端部領域２３ｄの浮き
上がり量より第１端部領域２３ｃの浮き上がり量の方が大きい状態の搬送ベルト２３の断
面を模式的に表している。
【００５２】
＜吸引方法３＞
吸引方法３では、制御部１は、第１吸引部８１ａの吸引力が第２吸引部８１ｂの吸引力
よりも大きくなるように、第１吸引部駆動部８２ａ及び第２吸引部駆動部８２ｂを個別に
制御して吸引動作を実行させる。すなわち、搬送ベルト２３の浮き上がり量の大きい第１
端部領域２３ｃには、浮き上がり量の小さい第２端部領域２３ｄよりも大きい吸引力が作
用する。これにより、第１端部領域２３ｃと第２端部領域２３ｄとの間で浮き上がり量の
異なる搬送ベルト２３の浮きが抑制され、搬送ベルト２３が媒体支持部７０に対して略平
行になる。制御部１は、画像形成動作の実行中に吸引動作を実行させるので、媒体Ｐとヘ
ッド４２との距離が略均一となり、媒体Ｐに形成される画像の画質が向上する。
【００５３】
＜吸引方法４＞
吸引方法４では、第１吸引部８１ａ及び第２吸引部８１ｂを構成する吸着テーブル８５
は、調整ボルト８８によって、吸着テーブル８５と搬送ベルト２３との距離を変更可能で
ある。図９に示すように、第２端部領域２３ｄに対応する第２吸引部８１ｂは、調整ボル
ト８８の調整によって、第１端部領域２３ｃに対応する第１吸引部８１ａよりも低い位置
に変更される。すなわち、第２吸引部８１ｂと搬送ベルト２３との間隔は、第１吸引部８
１ａと搬送ベルト２３との間隔よりも広く設定される。制御部１は、第１吸引部駆動部８
２ａ及び第２吸引部駆動部８２ｂを制御して吸引動作を実行させる。第１吸引部駆動部８
２ａと第２吸引部駆動部８２ｂとが同じ吸引力で駆動された場合であっても、第１吸引部
８１ａ及び第２吸引部８１ｂの高さを調整することで、搬送ベルト２３の第１端部領域２
３ｃと第２端部領域２３ｄとに作用させる吸引力を個別に変更することができる。
【００５４】
図９においては、搬送ベルト２３の浮き上がり量の大きい第１端部領域２３ｃには、浮
き上がり量の小さい第２端部領域２３ｄよりも大きい吸引力が作用する。これにより、第
１端部領域２３ｃと第２端部領域２３ｄとの間で浮き上がり量の異なる搬送ベルト２３の
浮きが抑制され、搬送ベルト２３が媒体支持部７０に対して略平行になる。制御部１は、
画像形成動作の実行中に吸引動作を実行させるので、媒体Ｐとヘッド４２との距離が略均
一となり、媒体Ｐに形成される画像の画質が向上する。なお、吸引方法４に上述した吸引
方法３を適用して、搬送ベルト２３の第１端部領域２３ｃと第２端部領域２３ｄとに作用
させる吸引力を個別に変更させてもよい。
【００５５】
以上述べたように、本実施形態に係るプリンター１００によれば、以下の効果を得るこ
とができる。
【００５６】
プリンター１００は、媒体Ｐを搬送する搬送ベルト２３、搬送ベルト２３の第１端部領
域２３ｃを媒体支持部７０に向けて吸引する第１吸引部８１ａ、第２端部領域２３ｄを媒
体支持部７０に向けて吸引する第２吸引部８１ｂを備えている。搬送ベルト２３の第１端
部領域２３ｃ及び第２端部領域２３ｄには、貫通孔が形成されていないので、第１端部領
域２３ｃが第１吸引部８１ａによってＺ軸の＋側から−側に向けて吸引され、第２端部領
域２３ｄが第２吸引部８１ｂによってＺ軸の＋側から−側に向けて吸引される。これによ
り、搬送ベルト２３が媒体支持部７０から浮き上がることを抑制することができる。した
がって、媒体Ｐに形成される画像の品質が向上する。
【００５７】
吸引部８０は、搬送ベルト２３が浮き上がり難い中央領域２３ｅに設けられていないの
で、吸引に要する部材やエネルギーの消費を削減することができる。ただし、搬送ベルト
２３の中央領域２３ｅが浮き上がる場合には、中央領域２３ｅに対応する位置に吸引部８
０を設け、搬送ベルト２３の中央領域２３ｅを媒体支持部７０に向けて吸引する構成とし
てもよい。例えば、中央領域２３ｅに対応する位置にも吸着テーブル８５を設ける構成と
してもよい。
【００５８】
制御部１は、画像形成動作の実行中及び搬送動作の実行中に吸引動作を実行させる制御
を行うことができる。画像形成動作及び搬送動作は、吸引動作と同時に実行されて搬送ベ
ルト２３が媒体支持部７０に対して略平行に支持される。これにより、媒体Ｐとヘッド４
２との距離が略均一となり、媒体Ｐに形成される画像の画質が向上する。
【００５９】
制御部１は、画像形成動作の実行中に吸引動作を実行させ、搬送動作の実行中に吸引動
作を実行させない制御を行うことができる。画像形成動作中は、吸引動作が実行されて搬
送ベルト２３が媒体支持部７０に対して略平行に支持される。これにより、媒体Ｐとヘッ
ド４２との距離が略均一となり、媒体Ｐに形成される画像の画質が向上する。搬送動作中
は、吸引動作が実行されないので、媒体支持部７０と搬送ベルト２３との摩擦抵抗が低減
するので、搬送ベルト２３の搬送負荷が低減する。
【００６０】
プリンター１００は、搬送ベルト２３の第１端部領域２３ｃと第２端部領域２３ｄとの
浮き上がり量に応じて、第１吸引部８１ａと第２吸引部８１ｂとの吸引力を個別に変更す
ることができる。具体的には、制御部１は、第１吸引部駆動部８２ａ及び第２吸引部駆動
部８２ｂを個別に制御して第１吸引部８１ａの吸引力と第２吸引部８１ｂの吸引力とを変
更することができる。これにより、第１端部領域２３ｃと第２端部領域２３ｄとの間で浮
き上がり量の異なる搬送ベルト２３の浮きが抑制され、搬送ベルト２３が媒体支持部７０
に対して略平行になる。
【００６１】
また、他の方法によっても、プリンター１００は、搬送ベルト２３の第１端部領域２３
ｃと第２端部領域２３ｄとの浮き上がり量に応じて、第１吸引部８１ａと第２吸引部８１
ｂとの吸引力を個別に変更することができる。具体的には、第１吸引部８１ａ及び第２吸
引部８１ｂを構成する吸着テーブル８５は、調整ボルト８８によって、その高さを変更可
能に構成されている。すなわち、第１吸引部８１ａと第１端部領域２３ｃとの距離、及び
第２吸引部８１ｂと第２端部領域２３ｄとの距離を個別に変更することで、第１端部領域
２３ｃと第２端部領域２３ｄとに作用させる吸引力を個別に変更することができる。これ
により、第１端部領域２３ｃと第２端部領域２３ｄとの間で浮き上がり量の異なる搬送ベ
ルト２３の浮きが抑制され、搬送ベルト２３が媒体支持部７０に対して略平行になる。
【００６２】
第１吸引部８１ａ及び第２吸引部８１ｂは、それぞれが、媒体支持部７０を構成する３
本の梁部材の間に設けられた２枚の吸着テーブル８５で構成される。これにより、吸着テ
ーブル８５が搬送ベルト２３の近くに配置されるので、第１吸引部８１ａによって、搬送
ベルト２３の第１端部領域２３ｃがＺ軸の＋側から−側に向けて効率よく吸引され、第２
吸引部８１ｂによって、搬送ベルト２３の第２端部領域２３ｄがＺ軸の＋側から−側に向
けて効率よく吸引される。
【００６３】
（実施形態２）
図１０は、実施形態２に係る媒体支持部１７０の周辺を拡大して示す斜視図である。本
実施形態の吸引部１８０について、図１０を参照して説明する。なお、図１０では、説明
の便宜上、搬送ベルト２３の表示は省略する。また、実施形態１と同一の構成部位につい
ては、同一の番号を使用し、重複する説明は省略する。
【００６４】
支持部としての媒体支持部１７０は、搬送方向と交差する方向である媒体Ｐの幅方向を
長手方向とする中空の梁部材が、搬送方向に沿って複数設けられる構成である。梁部材は
、搬送方向の上流から順に、第１の媒体支持部、第２の媒体支持部、及び第３の媒体支持
部に相当する。したがって、媒体支持部１７０は、第１の媒体支持部と、第１の媒体支持
部に対して搬送方向において間隔を空けて設けられた第２の媒体支持部と、第２の媒体支
持部に対して搬送方向において間隔を空けて設けられた第３の媒体支持部と、を有する構
成である。つまり、媒体支持部１７０は、３本の梁部材で搬送ベルト２３を支持する。媒
体支持部１７０には、搬送ベルト２３を支持する面に吸引孔１７５が設けられている。こ
のとき、吸引孔１７５は、媒体支持部１７０において第１端部領域２３ｃ及び第２端部領
域２３ｄと重なる領域に設けられている。吸引部１８０は、搬送ベルト２３の第１端部領
域２３ｃを媒体支持部１７０に向けて吸引する位置に設けられた第１吸引部１８１ａと、
搬送ベルト２３の第２端部領域２３ｄを媒体支持部１７０に向けて吸引する位置に設けら
れた第２吸引部１８１ｂとを有している。
【００６５】
第１吸引部１８１ａは、印刷領域ＰＡにおいて、搬送ベルト２３の第１端部領域２３ｃ
の裏面２３ｂと対向して位置する。第１吸引部１８１ａは、媒体支持部１７０を構成する
３本の梁部材の間に設けられた２枚の吸着テーブル８５で構成されている。より具体的に
は、第１吸引部１８１ａは、第１の媒体支持部と第２の媒体支持部との間に設けられた吸
着テーブル８５と、第２の媒体支持部と第３の媒体支持部との間に設けられた吸着テーブ
ル８５と、の２枚の吸着テーブル８５で構成されている。第１吸引部１８１ａは、第１吸
引部駆動部８２ａを有し、第１吸引部１８１ａを構成する吸着テーブル８５の貫通孔８５
ｂは、吸引チューブ８７によって第１吸引部駆動部８２ａと連通している。また、第１端
部領域２３ｃに対応する位置に設けられた吸引孔１７５は、吸引チューブ８７によって第
１吸引部駆動部８２ａと連通している。第１吸引部１８１ａは、吸着テーブル８５にて搬
送ベルト２３の媒体支持部１７０に支持されない部分をＺ軸の＋側から−側に向けて吸引
する。同時に、媒体支持部１７０は、第１端部領域２３ｃに対応する位置に設けられた吸
引孔１７５から搬送ベルト２３を吸引する。
【００６６】
第２吸引部１８１ｂは、印刷領域ＰＡにおいて、搬送ベルト２３の第２端部領域２３ｄ
の裏面２３ｂと対向して位置する。第２吸引部１８１ｂは、媒体支持部１７０を構成する
３本の梁部材の間に設けられた２枚の吸着テーブル８５で構成されている。より具体的に
は、第２吸引部１８１ｂは、第１の媒体支持部と第２の媒体支持部との間に設けられた吸
着テーブル８５と、第２の媒体支持部と第３の媒体支持部との間に設けられた吸着テーブ
ル８５と、の２枚の吸着テーブル８５で構成されている。第２吸引部１８１ｂは、第２吸
引部駆動部８２ｂを有し、第２吸引部１８１ｂを構成する吸着テーブル８５の貫通孔８５
ｂは、吸引チューブ８７によって第２吸引部駆動部８２ｂと連通している。第２吸引部１
８１ｂは、吸着テーブル８５にて搬送ベルト２３の媒体支持部１７０に支持されない部分
をＺ軸の＋側から−側に向けて吸引する。同時に、媒体支持部１７０は、第２端部領域２
３ｄに対応する位置に設けられた吸引孔１７５から搬送ベルト２３を吸引する。
【００６７】
このような構成によって、搬送ベルト２３は、媒体支持部１７０に支持される部分及び
媒体支持部１７０に支持されない部分が共に吸引される。これにより、搬送ベルト２３の
浮きがさらに抑制され、搬送ベルト２３が媒体支持部１７０に対してｃ平行になる。制御
部１は、画像形成動作の実行中に吸引動作を実行させるので、媒体Ｐとヘッド４２との距
離が略均一となり、媒体Ｐに形成される画像の画質が向上する。なお、本実施形態におい
ては、第１吸引部１８１ａ及び第２吸引部１８１ｂが同一の吸引駆動部で駆動される構成
であってもよい。また、本実施形態においては、吸引孔１７５を駆動する吸引駆動部を、
吸引部１８０を駆動する吸引駆動部と共用にしたが、吸引孔１７５を駆動する吸引駆動部
を別に設ける構成としてもよい。
また、本実施形態において、吸引部１８０及び吸引孔１７５は、搬送ベルト２３が浮き
上がり難い中央領域２３ｅに設けられていないので、吸引に要する部材やエネルギーの消
費を削減することができる。ただし、搬送ベルト２３の中央領域２３ｅが浮き上がる場合
には、中央領域２３ｅに対応する位置に吸引部１８０及び吸引孔１７５を設け、搬送ベル
ト２３の中央領域２３ｅを媒体支持部１７０に向けて吸引する構成としてもよい。このと
き、中央領域２３ｅに対応する位置に、吸引部１８０及び吸引孔１７５のうちいずれか一
方を設ける構成であってもよい。
【００６８】
（実施形態３）
図１１は、実施形態３に係る媒体支持部２７０の周辺を拡大して示す斜視図である。本
実施形態の吸引部２８０について、図１１を参照して説明する。なお、図１１では、説明
の便宜上、搬送ベルト２３の表示は省略する。また、実施形態１と同一の構成部位につい
ては、同一の番号を使用し、重複する説明は省略する。
【００６９】
支持部としての媒体支持部２７０は、中空の直方体をなし、搬送ベルト２３を支持する
。媒体支持部２７０は、フレーム１０上に取り付けられた支持台２７０ａに支持され、印
刷領域ＰＡと重なる領域に設けられる。吸引部２８０は、搬送ベルト２３の第１端部領域
２３ｃを吸引する第１吸引部２８１ａと、搬送ベルト２３の第２端部領域２３ｄを吸引す
る第２吸引部２８１ｂとを有し、媒体支持部２７０と一体で構成されている。詳しくは、
媒体支持部２７０には、搬送ベルト２３を支持する面を貫通する吸引孔２７５が第１端部
領域２３ｃ及び第２端部領域２３ｄと重なる領域に設けられる。媒体支持部２７０の内部
には、図示しない吸引部駆動部が備えられる。
【００７０】
搬送ベルト２３は、媒体支持部２７０に設けられた吸引孔２７５によって吸引される。
これにより、搬送ベルト２３の浮きが抑制され、搬送ベルト２３が媒体支持部２７０に対
して略平行になる。制御部１は、画像形成動作の実行中に吸引動作を実行させるので、媒
体Ｐとヘッド４２との距離が略均一となり、媒体Ｐに形成される画像の画質が向上する。
また、吸引部２８０は、媒体支持部２７０と一体で構成されているので、吸引部２８０を
設ける際の部品数や所要スペースを低減することができる。
また、吸引部２８０において、搬送ベルト２３が浮き上がり難い中央領域２３ｅには吸
引孔２７５が設けられていないので、吸引孔の加工の手間や、吸引に要するエネルギーの
消費を削減することができる。ただし、搬送ベルト２３の中央領域２３ｅが浮き上がる場
合には、中央領域２３ｅに対応する位置に吸引孔２７５を設け、搬送ベルト２３の中央領
域２３ｅを媒体支持部２７０に向けて吸引する構成としてもよい。なお、本実施形態では
、媒体支持部２７０は、搬送ベルト２３を吸着するための複数の吸引孔２７５を備える構
成を示したが、媒体支持部２７０は、搬送ベルト２３を吸着する吸着溝と貫通孔を備える
構成であってもよい。
【００７１】
（実施形態４）
図１２は、実施形態４に係る搬送ベルト２３の断面形状を示す模式断面図である。図１
３は、ベルト規制部３８５により規制された搬送ベルト２３の断面形状を示す模式断面図
である。実施形態１では、搬送ベルト２３が、上（Ｚ軸の＋側）に凸の円弧状に浮き上が
る場合に、吸引部８０の吸引により浮きを抑制する方法を述べたが、本実施形態では、搬
送ベルト２３が異なる形状に浮き上がる場合の浮きの抑制方法について説明する。
【００７２】
図１２に示す搬送ベルト２３は、浮き上がり抑制前の概略断面形状を示している。搬送
ベルト２３は、切断面である幅方向の両端部の切断方向などにより、両端部が表面２３ａ
側にカールする場合がある。搬送ベルト２３は、第１ローラー２４と第２ローラー２５と
の間に架けられ、さらに張力が加えられる。この時、搬送ベルト２３の中央領域２３ｅが
媒体支持部７０に支持されることにより、第１端部領域２３ｃ及び第２端部領域２３ｄに
おいて、搬送ベルト２３の両端部が上（Ｚ軸の＋側）に向かって反り上がることがある。
【００７３】
そこで、媒体支持部７０には、搬送ベルト２３の両端部の反り上がりを規制するための
ベルト規制部３８５が設けられている。ベルト規制部３８５は、搬送ベルト２３の両端部
の外側において媒体支持部７０に接続され、搬送ベルト２３の両端部を上から覆うＬ字状
の金具である。ベルト規制部３８５は、印刷領域ＰＡにおける搬送ベルト２３の両端部を
覆っている。ベルト規制部３８５における搬送ベルト２３を覆う部分の高さは、ヘッド４
２と搬送ベルト２３との距離である印刷ギャップよりも低く設定される。ベルト規制部３
８５には、耐摩耗性と摺動性とに優れるステンレス鋼を採用することが好ましい。
【００７４】
このベルト規制部３８５によって、図１３に示すように、搬送ベルト２３の反りが抑制
され、搬送ベルト２３が媒体支持部７０に対して略平行になる。これにより、媒体Ｐとヘ
ッド４２との距離が略均一となり、媒体Ｐに形成される画像の画質が向上する。なお、図
１２に示す形状に反る搬送ベルト２３は、ベルト規制部３８５によって反りを抑制するも
のと説明したが、図１２に示す形状に反る搬送ベルト２３に対して、実施形態１〜３に示
した吸引部８０，１８０，２８０の吸引によって反りを抑制させてもよい。
【００７５】
以下に、実施形態から導き出される内容を記載する。
【００７６】
本願のインクジェットプリンターは、媒体を支持し、回転することで前記媒体を搬送方
向に搬送する搬送ベルトと、前記搬送ベルトに支持される前記媒体に液体を吐出する吐出
部と、前記搬送ベルトを支持する支持部と、前記搬送ベルトを前記支持部に向けて吸引す
る吸引部と、を備え、前記搬送方向と交差する方向を幅方向とした時、前記搬送ベルトに
おける前記幅方向の一方側の端部を含む領域である第１端部領域と、前記幅方向の他方側
の端部を含む領域である第２端部領域とには、前記搬送ベルトを厚さ方向に貫く貫通孔が
形成されておらず、前記吸引部は、前記搬送ベルトの前記第１端部領域及び前記第２端部
領域を前記支持部に向けて吸引する位置に配置されることを特徴とする。
【００７７】
この構成によれば、インクジェットプリンターは、媒体を支持して搬送方向に搬送する
搬送ベルトを備えている。搬送ベルトは、支持部に支持されている。吸引部は、搬送ベル
トの幅方向の両端部である、第１端部領域及び第２端部領域を支持部に向けて吸引する。
第１端部領域及び第２端部領域には、貫通孔が形成されてない。これにより、搬送ベルト
の第１端部領域及び第２端部領域が支持部に向けて好適に吸引されるので、支持部から搬
送ベルトが浮き上がることを抑制することができる。したがって、媒体に形成される画像
の品質が向上する。
【００７８】
上記のインクジェットプリンターにおいて、前記吸引部は、前記搬送ベルトにおける前
記第１端部領域と前記第２端部領域との間に位置する中央領域を、前記支持部に向けて吸
引しない位置に配置される構成としてもよい。
【００７９】
この構成によれば、吸引部は、搬送ベルトの幅方向における中央領域を吸引しない。支
持部から浮き上がり難い搬送ベルトの中央領域を吸引しないことで、吸引に要する部材や
エネルギーの消費を削減することができる。
【００８０】
上記のインクジェットプリンターは、前記吐出部から液体を吐出させて前記媒体に画像
を形成する画像形成動作と、前記搬送ベルトを回転させて前記媒体を搬送する搬送動作と
、前記吸引部によって前記搬送ベルトを前記支持部に向けて吸引する吸引動作と、を実行
させる制御を行う制御部を備え、前記制御部は、前記画像形成動作の実行中及び前記搬送
動作の実行中に前記吸引動作を実行させる構成としてもよい。
【００８１】
この構成によれば、制御部は、画像形成動作の実行中に加え、搬送動作の実行中にも吸
引動作を実行させるので、搬送ベルトの浮き上がりが常に抑制される。これにより、媒体
に形成される画像の品質が向上する。
【００８２】
上記のインクジェットプリンターは、前記吐出部から液体を吐出させて前記媒体に画像
を形成する画像形成動作と、前記搬送ベルトを回転させて前記媒体を搬送する搬送動作と
、前記吸引部によって前記搬送ベルトを前記支持部に向けて吸引する吸引動作と、を実行
させる制御を行う制御部を備え、前記制御部は、前記画像形成動作の実行中に前記吸引動
作を実行させ、前記搬送動作の実行中に前記吸引動作を実行させない構成としてもよい。
【００８３】
この構成によれば、制御部は、画像形成動作の実行中に吸引動作を実行させるので、画
像形成動作中における搬送ベルトの浮き上がりが抑制され、媒体に形成される画像の品質
が向上する。また、制御部は、搬送動作の実行中に吸引動作を実行させないので搬送ベル
トの搬送負荷が低減する。
【００８４】
上記のインクジェットプリンターにおいて、前記吸引部は、前記搬送ベルトの前記第１
端部領域を吸引する第１吸引部と、前記搬送ベルトの前記第２端部領域を吸引する第２吸
引部とを含み、前記第１吸引部と前記第２吸引部とは、前記搬送ベルトに作用させる吸引
力を個別に変更可能に構成されてもよい。
【００８５】
この構成によれば、搬送ベルトの第１端部領域と第２端部領域との浮き上がり量に応じ
て、第１吸引部と第２吸引部との吸引力を個別に変更することで、搬送ベルトの浮き上が
りをさらに好適に抑制することができる。
【００８６】
上記のインクジェットプリンターにおいては、前記支持部は、第１の支持部と、前記第
１の支持部に対して前記搬送方向において間隔を空けて設けられた第２の支持部と、を有
し、前記吸引部は、前記第１の支持部と前記第２の支持部との間に設けられる構成として
もよい。
【００８７】
この構成によれば、吸引部は、搬送方向に沿って間隔を空けて設けられた第１の支持部
と第２の支持部との間に設けられている。これにより、吸引部を搬送ベルトの近くに配置
することができるので、搬送ベルトを支持部に向けて効率よく吸引することができる。
【００８８】
上記のインクジェットプリンターにおいて、前記支持部には、前記搬送ベルトを支持す
る面に吸引孔が設けられ、前記吸引部は、前記搬送ベルトにおける前記支持部に支持され
ない部分を前記支持部に向けて吸引し、前記支持部は、前記吸引孔から前記搬送ベルトを
吸引する構成としてもよい。
【００８９】
この構成によれば、吸引部は、支持部に支持されない部分を吸引し、支持部は、自身に
設けられた吸引孔から搬送ベルトを吸引するので、搬送ベルトの浮き上がりが好適に抑制
される。
【００９０】
上記のインクジェットプリンターにおいて、前記支持部には、前記搬送ベルトを支持す
る面を貫通する吸引孔が設けられ、前記吸引部は、前記支持部と一体で構成され、前記吸
引孔から前記搬送ベルトを吸引する構成としてもよい。
【００９１】
この構成によれば、吸引部は、支持部と一体で構成され、支持部に設けられた吸引部か
ら搬送ベルトを吸引するように配置されているので、吸引部を設ける際の部品数や所要ス
ペースを低減することができる。
【符号の説明】
【００９２】
１…制御部、２…インターフェイス部、３…ＣＰＵ、４…制御回路、５…記憶部、６…
入力装置、１０…フレーム、２０…搬送部、２３…搬送ベルト、２３ｃ…第１端部領域、
２３ｄ…第２端部領域、２３ｅ…中央領域、２４…第１ローラー、２５…第２ローラー、
２６…第３ローラー、４０…印刷部、４２…ヘッド（吐出部）、４３…キャリッジ、４５
…キャリッジ移動部、４６…ガイドレール、６０…押圧部、７０，１７０，２７０…媒体
支持部（支持部）、８０，１８０，２８０…吸引部、８１ａ，１８１ａ，２８１ａ…第１
吸引部、８１ｂ，１８１ｂ，２８１ｂ…第２吸引部、８２ａ…第１吸引部駆動部、８２ｂ
…第２吸引部駆動部、８３…支持部材、８５…吸着テーブル、８５ａ…吸着溝、８５ｂ…
貫通孔、８７…吸引チューブ、８８…調整ボルト、１００…プリンター、１７５，２７５
…吸引孔、３８５…ベルト規制部。
【図１】
2020082436.tif 000003
【図２】
2020082436.tif 000004
【図３】
2020082436.tif 000005
【図４】
2020082436.tif 000006
【図５】
2020082436.tif 000007
【図６】
2020082436.tif 000008
【図７】
2020082436.tif 000009
【図８】
2020082436.tif 000010
【図９】
2020082436.tif 000011
【図１０】
2020082436.tif 000012
【図１１】
2020082436.tif 000013
【図１２】
2020082436.tif 000014
【図１３】
2020082436.tif 000015